(57)【要約】      （修正有）【課題】多層型の光記録媒体において、記録再生層群の記録再生層間距離を小さくしながらも、層間クロストークの発生を抑制する。【解決手段】３層以上の記録再生層を備える多層型の光記録媒体１０であって、多層記録再生層群１４の層間距離として、１０μｍ以上に設定された第１距離と、この第１距離よりも３μｍ以上大きい第２距離を設定し、これら２つの異なる距離を交互に設定することによって、層間クロストークの増大を防止する。【選択図】図２
2011170937.tif 000002
【特許請求の範囲】
【請求項１】
３層以上の記録再生層を備える光記録媒体であって、
前記記録再生層の層間距離として、第１距離と、前記第１距離よりも３μｍ以上大きい第２距離が交互に設定されていることを特徴とする光記録媒体。
【請求項２】
前記第１距離が１０μｍ以上に設定されることを特徴とする請求項１に記載の光記録媒体。
【請求項３】
前記第２距離が、前記第１距離よりも４μｍ以上大きいことを特徴とする請求項１又は２に記載の光記録媒体。
【請求項４】
前記第２距離が、前記第１距離よりも３μｍ〜５μｍの範囲内で大きいことを特徴とする請求項１又は２に記載の光記録媒体。
【請求項５】
前記第１距離が１２μｍ、前記第２距離が１６μｍであることを特徴とする請求項１に記載の光記録媒体。
【請求項６】
前記記録再生層にビームを照射する際に、光入射面における入射光と出射光の比率となる総合反射率Ｒが、全ての前記記録再生層で２％以下に設定されることを特徴とする請求項１乃至５のいずれかに記載の光記録媒体。
【請求項７】
光入射面側からｎ番目となる前記記録再生層を第ｎ記録再生層（ｎは自然数）と定義し、
前記第ｎ記録再生層にビームを照射する際における、光入射面における入射光と出射光の比率となる総合反射率をＲｎ、前記第ｎ記録再生層の仮想的な単層反射率をｒｎと定義し、
前記単層反射率ｒｎを、（Ｒｎ−１（ｎ−１）／Ｒｎ（ｎー２））で定義した場合に、
前記単層反射率ｒｎが、全ての前記記録再生層において１０％以下に設定されることを特徴とする請求項１乃至６のいずれかに記載の光記録媒体。
【請求項８】
前記記録再生層は、トラッキング制御用の凹凸を有しない平面構造となっており、
更に、トラッキング制御用の凹凸が形成されるサーボ層とを備えることによって、前記サーボ層を利用してトラッキング制御を行いながら前記記録再生層に情報を記録できることを特徴とする請求項１乃至７のいずれかに記載の光記録媒体。
【請求項９】
前記サーボ層における前記トラッキング制御用の凹凸のトラックピッチが、前記記録再生層に記録予定のトラックピッチの２倍に設定されていることを特徴とする請求項１乃至８のいずれかに記載の光記録媒体。
【請求項１０】
請求項１乃至９のいずれかに記載の光記録媒体が、複数用意された光記録媒体シリーズであって、
複数の前記光記録媒体の間において、前記記録再生層の積層数が互いに異なるようになっており、
複数の前記光記録媒体の間において、光入射面からの前記サーボ層の位置が互いに等しくなっており、
複数の前記光記録媒体の間において、少なくとも３層の前記記録再生層における前記光入射面からの位置が互いに等しくなっていることを特徴とする光記録媒体シリーズ。
【発明の詳細な説明】
【技術分野】
【０００１】
本発明は、複数の記録再生層を有する光記録媒体、及び光記録媒体が複数種類用意される光記録媒体シリーズに関する。
【背景技術】
【０００２】
従来、ディジタル動画コンテンツの視聴や、ディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭ、Ｂｌｕ−ｒａｙ  Ｄｉｓｃ（ＢＤ）などの光記録媒体が広く利用されている。この中でも、次世代型ＤＶＤ規格の一つとされるＢＤは、記録再生に用いるレーザー光の波長を４０５ｎｍと短くし、対物レンズの開口数を０．８５に設定される。ＢＤ規格に対応した光記録媒体側は、０．３２μｍのピッチでトラックが形成される。このようにすることで、光記録媒体の１つの記録再生層に対して２５ＧＢ以上の記録再生を可能にしている。
【０００３】
ところで、動画やデータの容量は今後益々増大することが予想される。従って、光記録媒体における記録再生層を多層化することで光記録媒体の容量を増大させる方法が検討されている。ＢＤ規格の光記録媒体では、６層〜８層の記録再生層を設けることで、２００ＧＢもの超大容量を実現する技術も報告されている（非特許文献１、２参照）。
【先行技術文献】
【非特許文献】
【０００４】
【非特許文献１】I. Ichimura et. al., Appl. Opt, 45, 1974-1803 (2006)
【非特許文献２】K. Mishima et. al., Proc. of SPIE, 6282, 62820I (2006)
【発明の概要】
【発明が解決しようとする課題】
【０００５】
多層型の光記録媒体では、一般的に、対象となる記録再生層において記録再生を行う際に、他の記録再生層の信号又は雑音の漏れ込み（クロストーク）が生じてしまい、サーボ信号や記録信号の品質が劣化するという問題がある。
【０００６】
このクロストークには、層間クロストークと共焦点クロストークの２種類が存在する。層間クロストークとは、再生中の記録再生層に隣接する記録再生層で反射した光が、この再生光に漏れ混むことによって生じる現象である。従って２層以上の記録再生層を有する光記録媒体では必ず問題となる。層間距離を大きくすれば層間クロストークは小さくなるが、記録再生層の数を増やすことができなくなってしまう。
【０００７】
共焦点クロストークは、３層以上の光記録媒体に特有なものである。この共焦点クロストークは、再生中の記録再生層で１回だけ反射した本来の再生光と、他の記録再生層で複数回反射した迷光の間で、その光路長が一致してしまうことにより生じる現象である。迷光に関しては、反射の回数が多いほど、各反射率の積となって光量は減少していくので、実用的には、３回反射のケースを考慮すれば充分である。この共焦点クロストークを避けるためには、全ての層間距離（中間層の膜厚）を異ならせる手法が知られている。
【０００８】
しかしながら、記録再生層の数を増大させようとする際に、各中間層の膜厚を互いに異ならせようとすると、様々な膜厚の中間層を用意する必要があるため、結局、層間距離が大きくなってしまうという問題があった。この結果、光入射面から最も遠い記録再生層が、光入射面から離れてしまい、チルト等におけるコマ収差に対して不利に作用してしまうという問題があった。
【０００９】
更に、この種の光記録媒体では、記録再生層のそれぞれに対してグルーブ／ランド等のトラッキング制御用の凹凸を形成しなければならない。従って、各中間層にスタンパによって凹凸を形成する必要があることから、中間層の膜厚に誤差が生じやすい。上述のように、中間層の膜厚を互いに異ならせる場合、この成膜誤差を考量しなければならないので、益々光記録媒体の厚みが増大するという問題もあった。
【００１０】
本発明は上記問題点に鑑みてなされたものであり、３層以上の光記録媒体において、層間距離を小さくすることとクロストークの低減を合理的に両立させることができる光記録媒体を提供することを目的としている。
【課題を解決するための手段】
【００１１】
本発明者らの鋭意研究によって、上記目的は以下の手段によって達成される。
【００１２】
上記目的を達成する本発明は、３層以上の記録再生層を備える光記録媒体であって、前記記録再生層の層間距離として、第１距離と、前記第１距離よりも３μｍ以上大きい第２距離が交互に設定されていることを特徴とする光記録媒体である。
【００１３】
上記目的を達成する光記録媒体は、上記発明において、前記第１距離が１０μｍ以上に設定されることを特徴とする。
【００１４】
上記目的を達成する光記録媒体は、上記発明において、前記第２距離が、前記第１距離よりも４μｍ以上大きいことを特徴とする。
【００１５】
上記目的を達成する光記録媒体は、上記発明において、前記第２距離が、前記第１距離よりも３μｍ〜５μｍの範囲内で大きいことを特徴とする。
【００１６】
上記目的を達成する光記録媒体は、上記発明において、前記第１距離が１２μｍ、前記第２距離が１６μｍであることを特徴とする。
【００１７】
上記目的を達成する光記録媒体は、上記発明において、前記記録再生層にビームを照射する際に、光入射面における入射光と出射光の比率となる総合反射率Ｒが、全ての前記記録再生層で２％以下に設定されることを特徴とする。
【００１８】
上記目的を達成する光記録媒体は、上記発明において、光入射面側からｎ番目となる前記記録再生層を第ｎ記録再生層（ｎは自然数）と定義し、前記第ｎ記録再生層にビームを照射する際における、光入射面における入射光と出射光の比率となる総合反射率をＲｎ、前記第ｎ記録再生層の仮想的な単層反射率をｒｎと定義し、前記単層反射率ｒｎを、（Ｒｎ−１（ｎ−１）／Ｒｎ（ｎー２））で定義した場合に、前記単層反射率ｒｎが、全ての前記記録再生層において１０％以下に設定されることを特徴とする。
【００１９】
上記目的を達成する光記録媒体は、上記発明において、前記記録再生層は、トラッキング制御用の凹凸を有しない平面構造となっており、更に、トラッキング制御用の凹凸が形成されるサーボ層とを備えることによって、前記サーボ層を利用してトラッキング制御を行いながら前記記録再生層に情報を記録できることを特徴とする。
【００２０】
上記目的を達成する光記録媒体は、上記発明において、前記サーボ層における前記トラッキング制御用の凹凸のトラックピッチが、前記記録再生層に記録予定のトラックピッチの２倍に設定されていることを特徴とする。
【００２１】
上記目的を達成する本発明は、上記発明のいずれかに記載の光記録媒体が、複数用意された光記録媒体シリーズであって、複数の前記光記録媒体の間において、前記記録再生層の積層数が互いに異なるようになっており、複数の前記光記録媒体の間において、光入射面からの前記サーボ層の位置が互いに等しくなっており、複数の前記光記録媒体の間において、少なくとも３層の前記記録再生層における前記光入射面からの位置が互いに等しくなっていることを特徴とする光記録媒体シリーズである。
【発明の効果】
【００２２】
本発明によれば、記録再生層間の層間距離を小さくしながらも、クロストークの発生が低減された光記録媒体を得ることができる。
【図面の簡単な説明】
【００２３】
【図１】第１実施形態に係る光記録媒体の記録再生を行う光ピックアップの構造を示すブロック図である。
【図２】第１実施形態に係る光記録媒体の積層構造を示す断面図である。
【図３】層間クロストークの発生原理を説明するための、光記録媒体の層間厚みとジッタの相関図である。
【図４】第１実施形態に係る光記録媒体の積層構造とクロストークの発生要因を拡大して示す断面図である。
【図５】第２実施形態に係る光記録媒体シリーズに属する光記録媒体の積層構造を示す断面図である。
【図６】第２実施形態に係る光記録媒体シリーズに属する光記録媒体の積層構造を拡大して示す断面図である。
【発明を実施するための形態】
【００２４】
以下、本発明の実施の形態を添付図面を参照して説明する。
【００２５】
図１には、第１実施形態に係る光記録媒体１０と、この光記録媒体１０の記録再生に用いられる光ピックアップ９０の構成が示されている。光ピックアップ９０は、第１光学系１００と第２光学系２００を備える。第１光学系１００は、第１光記録媒体１０の記録再生層群１４に対して記録・再生を行う光学系となる。第２光学系２００は、第１光学系１００を利用して記録再生層群１４に情報を記録する時に、後述するサーボ層１８を利用してトラッキング制御を行う光学系となる。
【００２６】
第１光学系１００の光源１０１から出射された比較的短い青色波長３８０〜４５０ｎｍ（ここでは４０５ｎｍ）となる発散性のビーム１７０は、球面収差補正手段１９３を備えたコリメートレンズ１５３を透過し、第２光学系２００の波長選択フィルタ２６０を透過して偏光ビームスプリッタ１５２に入射する。偏光ビームスプリッタ１５２に入射したビーム１７０は、偏光ビームスプリッタ１５２を透過して、更に４分の１波長板１５４の透過によって円偏光に変換された後、対物レンズ１５６で収束ビームに変換される。このビーム１７０は、光記録媒体１０の内部に形成された複数の記録再生層群１４のいずれか記録再生層の上に集光される。
【００２７】
対物レンズ１５６の開口はアパーチャ１５５で制限され、開口数ＮＡを０．７０〜０．９０（ここでは０．８５）としている。例えば記録再生層群１４で反射されたビーム１７０は、対物レンズ１５６、４分の１波長板１５４を透過して往路とは９０度異なる直線偏光に変換された後、偏光ビームスプリッタ１５２で反射される。なお、この偏光ビームスプリッタ１５２は波長選択特性を有しており、第１光学系１００の光源１０１からのビーム１７０は反射可能であるが、後述する第２光学系２００の比較的長い赤色波長のビーム２７０は常に透過するようになっている。
【００２８】
偏光ビームスプリッタ１５２で反射されたビーム１７０は、集光レンズ１５９を透過して収束光に変換され、シリンドリカルレンズ１５７を経て、光検出器１３２に入射する。ビーム１７０には、シリンドリカルレンズ１５７を透過する際、非点収差が付与される。
【００２９】
光検出器１３２は、図示しない４つの受光部を有し、それぞれ受光した光量に応じた電流信号を出力する。これら電流信号から、非点収差法によるフォーカス誤差（以下ＦＥとする）信号、再生時に限定されるプッシュプル法によるトラッキング誤差（以下ＴＥとする）信号、光記録媒体１０に記録された情報の再生信号等が生成される。ＦＥ信号およびＴＥ信号は、所望のレベルに増幅および位相補償が行われた後、アクチュエータ１９１および１９２にフィードバック供給されて、フォーカス制御およびトラッキング制御がなされる。なお、第１光学系１００によるトラッキング制御は再生時のみ利用される。
【００３０】
第２光学系２００の光源２０１から出射された波長６３０〜６８０ｎｍ（ここでは６５０ｎｍ）となる発散性のビーム２７０は、球面収差補正手段２９３を備えたコリメートレンズ２５３を透過し、偏光ビームスプリッタ２５２に入射する。偏光ビームスプリッタ２５２に入射したビーム２７０は、偏光ビームスプリッタ２５２を透過して、更に第２光学系用の４分の１波長板２５４を透過して円偏光に変換された後、波長選択フィルタ２６０で反射されて、第１光学系１００と共有される偏光ビームスプリッタ１５２を透過する。このビーム２７０は更に対物レンズ１５６で収束ビームに変換されて、第１光記録媒体１０の内部に形成されたサーボ層１８に集光される。サーボ層１８で反射されたビーム２７０は、対物レンズ１５６、及び偏光ビームスプリッタ１５２を透過して第２光学系２００の波長選択フィルタ２６０で反射し、４分の１波長板２５４において往路とは９０度異なる直線偏光に変換された後、偏光ビームスプリッタ２５２で反射される。偏光ビームスプリッタ２５２で反射されたビーム２７０は、集光レンズ２５９を透過して収束光に変換され、シリンドリカルレンズ２５７を経て、光検出器２３２に入射する。ビーム２７０には、シリンドリカルレンズ２５７を透過する際、非点収差が付与される。
【００３１】
光検出器２３２は、図示しない４つの受光部を有し、それぞれ受光した光量に応じた電流信号を出力する。これら電流信号から、非点収差法によるフォーカス誤差（ＦＥ）信号、プッシュプル法によるトラッキング誤差（ＴＥ）信号が生成される。なお、サーボ層１８にも情報が記録されている場合は再生信号も生成される。
【００３２】
第１光学系１００による記録再生層群１４への情報の記録時は、第２光学系２００のＴＥ信号について、所望のレベルに増幅および位相補償が行われた後、アクチュエータ１９１および１９２にフィードバック供給されてトラッキング制御がなされる。この結果、第２光学系２００のトラッキング制御に基づいて、第１光学系１００が記録再生層群１４に情報を記録するようになっている。なお、本実施形態では、記録再生層群１４に記録済みの情報を再生する際は、記録再生層群１４上の記録マークを利用して第１光学系１００が独自にトラッキング制御するようにしている。一方、この第２光学系２００のトラッキング制御を利用しながら再生することも勿論可能である。
【００３３】
図２には、本実施形態の光記録媒体１０の断面構造が拡大して示されている。
【００３４】
この光記録媒体１０は、外径が約１２０ｍｍ、厚みが約１．２ｍｍの円盤形状となっている。この光記録媒体１０は、光入射面１０Ａ側から、カバー層１１、記録再生層群１４及び中間層群１６、スペーサ層１７、サーボ層１８、支持基板１２を備えて構成される。
【００３５】
記録再生層群１４は、ここでは第１〜第６記録再生層１４Ａ〜１４Ｆを備えて構成されており、それぞれに情報を記録できる構造となっている。この第１〜第６記録再生層１４Ａ〜１４Ｆは、トラッキング制御用の凹凸を有しない平面構造となっており、第１光学系１００から高エネルギーとなる記録用のビーム１７０が照射されると、記録マークが形成される。なお、この記録再生層群１４の種類として、情報の追記が出来るが書き換えが出来ない追記型記録再生層と、情報の書換が可能な書換型記録再生層がある。
【００３６】
支持基板１２は、光記録媒体に求められる厚み（約１．２ｍｍ）を確保するための、厚さ１．０ｍｍで直径１２０ｍｍとなる円盤形状の基板であり、この支持基板１２の光入射面１０Ａ側の面にサーボ層１８が形成される。具体的には、支持基板１２における光入射面１０Ａ側に、その中心部近傍から外縁部に向けてグルーブおよびランドが螺旋状に形成される。このグルーブおよびランドが、トラッキング制御用の凹凸（溝）となり、第２光学系２００のビーム２７０がガイドされるようになっている。
【００３７】
なお、支持基板１２の材料としては種々の材料を用いることが可能であり、例えば、ガラス、セラミックス、樹脂を利用できる。これらのうち成型の容易性の観点から樹脂が好ましい。樹脂としてはポリカーボネイト樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。これらの中でも、加工性などの点からポリカーボネイト樹脂やオレフィン樹脂が特に好ましい。なお、支持基板１２は、ビーム２７０の光路とならないことから、高い光透過性を有している必要はない。
【００３８】
支持基板１２の上に形成されるサーボ層１８は、支持基板１２の表面にトラッキング制御用の凹凸（グルーブおよびランド）と反射性の層を形成することによって構成される。このサーボ層１８は、Ａｇ等の金属層を形成して光反射膜として機能させれば良い。また、必要に応じて記録が可能な反射性の記録層を設けても良い。
【００３９】
サーボ層１８におけるトラッキング制御用の凹凸のトラックピッチＰは、ここでは、記録再生層１４Ａ〜１４Ｆに記録予定とされる記録マークのトラックピッチの２倍に設定される。具体的に、記録再生層１４Ａ〜１４Ｆに記録予定とされるトラックピッチは、ＢＤ規格との互換性のために０．３２μｍ前後としていることから、サーボ層１８のグルーブ／ランドのトラックピッチＰは０．６４μｍ前後に設定される。０．６４μｍ前後のトラックピッチＰであれば、比較的長い赤色波長領域のビーム２７０であっても十分なトラッキングが可能である。特に本実施形態では、グルーブとランドの双方を利用してトラッキング制御を行うようにしているので、結果として、凹凸のピッチは０．６４μｍ前後となるが、記録再生層１４Ａ〜１４Ｆに記録される記録マークのトラックピッチは、その半分の０．３２μｍ前後とすることができる。従って、サーボ層１８のトラックピッチを小さくしなくても、記録再生層群１４の記録マークのトラックピッチを２倍にできるので、記録容量を増大させることができる。
【００４０】
スペーサ層１７は、光透過性のアクリル系の紫外線硬化型樹脂により構成されており、ここでは９０μｍの膜厚に設定されている。
【００４１】
スペーサ層１７の光入射面１０Ａ側には記録再生層群１４が積層される。この記録再生層群１４は、光入射面１０Ａ側から順番に、第１〜第６記録再生層１４Ａ〜１４Ｆを備えている。第１〜第６記録再生層１４Ａ〜１４Ｆは、それぞれ、追記型記録膜の両外側に誘電体膜を積層した３層構造となっている（図示省略）。なお、この第１〜第６記録再生層１４Ａ〜１４Ｆは、第１光学系１００における青色波長領域（短い波長）のビーム１７０に対して光反射率・吸収率・透過率等が最適化されており、一方で、第２光学系２００の赤色波長領域（長い波長）のビーム２７０は充分透過するようになっている。
【００４２】
各記録再生層の誘電体膜は、追記型記録膜を保護するという基本機能に加えて、記録マークの形成前後における光学特性の差を拡大させる役割も果たす。
【００４３】
なお、ビーム１７０を照射した場合に、誘電体膜に吸収されるエネルギーが大きいと記録感度が低下しやすい。従って、これを防止するためには、これらの誘電体膜の材料として、３８０ｎｍ〜４５０ｎｍ（特に４０５ｎｍ）の波長領域において低い吸収係数（ｋ）を有する材料を選択することが好ましい。なお、本実施の形態においては、誘電体膜の材料としてＴｉＯ２を用いている。
【００４４】
誘電体膜に挟まれる追記型記録膜は不可逆的な記録マークが形成される膜であり、記録マークが形成された部分とそれ以外の部分（ブランク領域）は、ビーム１７０に対する反射率が大きく異なる。この結果、データの記録・再生を行うことができる。なお、この追記型記録膜についても、トラッキング用の第２光学系２００のビーム２７０の赤色波長領域おいては高い透過性を有する。
【００４５】
追記型記録膜は、Ｂｉ及びＯを含む材料を主成分として形成される。この追記型記録膜は、無機反応膜として機能し、レーザー光の熱による化学的又は物理的な変化で反射率が大きく異なるようになっている。具体的な材料としては、Ｂｉ−Ｏを主成分とするか、又は、Ｂｉ−Ｍ−Ｏ（ただしＭは、Ｍｇ、Ｃａ、Ｙ、Ｄｙ、Ｃｅ、Ｔｂ、Ｔｉ、Ｚｒ、Ｖ、Ｎｂ、Ｔａ、Ｍｏ、Ｗ、Ｍｎ、Ｆｅ、Ｚｎ、Ａｌ、Ｉｎ、Ｓｉ、Ｇｅ、Ｓｎ、Ｓｂ、Ｌｉ、Ｎａ、Ｋ、Ｓｒ、Ｂａ、Ｓｃ、Ｌａ、Ｎｄ、Ｓｍ、Ｇｄ、Ｈｏ、Ｃｒ、Ｃｏ、Ｎｉ、Ｃｕ、Ｇａ、Ｐｂの中から選択される少なくとも１種の元素）を主成分とすることが好ましい。なお、本実施形態では、追記型記録膜の材料として、Ｂｉ−Ｇｅ−Ｏを用いている。
【００４６】
なお、ここでは第１〜第６記録再生層１４Ａ〜１４Ｆにおいて追記型記録膜を採用する場合を示したが、繰り返し記録が可能な相変化記録膜を採用することも可能である。この場合の相変化記録膜は、ＳｂＴｅＧｅとすることが好ましい。
【００４７】
中間層群１６は、光入射面１０Ａから近い側から順番に第１〜第５中間層１６Ａ〜１６Ｅを有しており、第１〜第６記録再生層１４Ａ〜１４Ｆの間に積層される。各中間層１６Ａ〜１６Ｅは、アクリル系またはエポキシ系の紫外線硬化型樹脂によって構成される。この中間層１６Ａ〜１６Ｅの膜厚は、１０μｍ以上となる第１距離Ｔ１と、この第１距離よりも３μｍ以上大きい第２距離Ｔ２が交互に設定されている。具体的に第１距離Ｔ１と第２距離Ｔ２は、３μｍ〜５μｍの差を有していることが好ましく、更に好ましくは、４μｍ以上の差を有するようにする。
【００４８】
本光記録媒体１０では、第１距離Ｔ１として１２μｍ、第２距離Ｔ２として１６μｍを採用しており、第５中間層１６Ａが１６μｍ、第４中間層１６Ｂが１２μｍ、第３中間層１６Ｃが１６μｍ、第２中間層１６Ｄが１２μｍ、第１中間層１６Ｅが１６μｍとなっている。つまり、２種類の膜厚（１６μｍ、１２μｍ）の中間層が交互に積層されている。詳細は後述するが、このようにすると層間クロストーク及び共焦点クロストークの双方を低減させることができる。
【００４９】
カバー層１１は、中間層群１６と同様に光透過性のアクリル系の紫外線硬化型樹脂により構成されており、３８μｍの膜厚に設定されている。
【００５０】
光記録媒体１０は、上記のように構成される結果、サーボ層１８は、光入射面１０Ａから０．２ｍｍ（２００μｍ）の距離に位置しており、また、記録再生層群１４の中で光入射面１０Ａから最も遠い第６記録再生層１４Ｆは、光入射面１０Ａから０．１１ｍｍ（１１０μｍ）の距離に位置しており、第５記録再生層１４Ｅは光入射面１０Ａから９４μｍ、第４記録再生層１４Ｄは光入射面１０Ａから８２μｍ、第３記録再生層１４Ｃは光入射面１０Ａから６６μｍ、第２記録再生層１４Ｂは光入射面１０Ａから５４μｍ、そして、光入射面１０Ａに最も近い第１記録再生層１４Ａは、光入射面１０Ａから３８μｍの距離に位置することになる。また、記録再生層群１４の全体的な厚み（第１記録再生層１４Ａ〜第６記録再生層１４Ｆ間の距離）は７２μｍとなる。
【００５１】
次に、この光記録媒体１０の製造方法について説明する。まず、金属スタンパを用いることによる、ポリカーボネイト樹脂の射出成型法により、グルーブおよびランドが形成された支持基板１２を作製する。なお、支持基板１２の作製は射出成型法に限られず、２Ｐ法や他の方法によって作製しても構わない。
【００５２】
その後、支持基板１２におけるグルーブ及びランドが設けられた側の表面にサーボ層１８を形成する。サーボ層１８は、、Ａｇ合金を用いたスパッタリングによって光反射性の金属層を形成することで行う。更に、サーボ層１８の上にスペーサ層１７を形成する。スペーサ層１７は、例えば、粘度調整されたアクリル系またはエポキシ系の紫外線硬化型樹脂をスピンコート法等により皮膜し、これに対して紫外線を照射して硬化することにより形成する。なお、紫外線硬化性樹脂の代わりに、光透過性樹脂からなる光透過性シートを接着剤や粘着剤等を用いてサーボ層１８の上に貼り付けることで形成することもできる。
【００５３】
次に、第６記録再生層１４Ｆを形成する。具体的には、誘電体膜、追記型記録膜、誘電体膜の順に気相成長法を用いて形成する。中でもスパッタリング法を用いることが好ましい。その後、第６記録再生層１４Ｆの上に第５中間層１６Ｅを形成する。第５中間層１６Ｅは、例えば、粘度調整された紫外線硬化型樹脂をスピンコート法等により皮膜し、その後、この紫外線硬化性樹脂に紫外線を照射して硬化することにより形成する。この手順を繰り返すことで、第５記録再生層１４Ｅ、第４中間層１６Ｄ、第４記録再生層１４Ｄ、第３中間層１６Ｃ・・・と順番に積層していく。
【００５４】
第１記録再生層１４Ａまで完成したら、その上にカバー層１１を形成してこの光記録媒体１０が完成する。なおカバー層１１は、例えば、粘度調整されたアクリル系またはエポキシ系の紫外線硬化型樹脂をスピンコート法等により皮膜し、これに対して紫外線を照射して硬化することにより形成する。なお、本実施形態では上記製造方法を説明したが、本発明は上記製造方法に特に限定されるものではなく、他の製造技術を採用することもできる。
【００５５】
次に、光ピックアップ９０を用いて、光記録媒体１０に情報を記録再生する手順について説明する。
【００５６】
この光記録媒体１０の第６記録再生層１４Ｆに情報を記録する場合、まず、第２光学系２００の赤色波長領域のビーム２７０をサーボ層１８に照射してトラッキング制御を行う。この作業と同時に、第１光学系１００の青色波長領域の記録用ビーム１７０を第６記録再生層１４Ｆに照射する。なお、このサーボ層１８には、光記録媒体シリーズに関する基本仕様や、記録再生層群１４の積層数に関する情報が、記録ピットやＢＣＡ（バーストカッティングエリア）に予め記録されており、トラッキング制御を開始する時に常に読み出すようになっている。本実施形態において、光記録媒体シリーズに関する基本情報としては、サーボ層の位置、第１〜第６記録再生層１４Ａ〜１４Ｆの位置、記録再生層群の層間距離に関するルールを含むようになっている。
【００５７】
その後、サーボ層１８を利用してトラッキング制御を行いながら、第６記録再生層１４Ｆに情報を記録していく。記録完了後は、今回の追記情報（記録に関するアドレス情報、コンテンツ情報等）をサーボ層１８側に記録して完了する。なお、サーボ層１８が記録膜を有しない場合は、この追記情報を、光入射面１０Ａから最も遠い第６記録再生層１４Ｆや、光入射面１０Ａに最も近い第１記録再生層１４Ａに記録して完了することが望ましい。
【００５８】
次に、例えば第６記録再生層１４Ｆに記録された情報を再生する際には、先ず、第２光学系２００のビーム２７０を利用してサーボ層１８を再生することで、上述の基本仕様と、記録に基づく追記情報（例えば第６記録再生層１４Ｆに記録したコンテンツ情報等）を読み出す。その後、これらの情報に基づいて、第１光学系１００のビーム１７０を利用して第６記録再生層１４Ｆの所定アドレスにアクセスして再生を行う。この際は、第６記録再生層１４Ｆに既に情報が記録されていることが明らかであるので、その記録マークを利用してトラッキング制御を行えば良い。従って、第６記録再生層１４Ｆのコンテンツ再生中は、第２光学系２００のビーム２７０は不要とすることができる。
【００５９】
なお、この実施形態では、サーボ層１８に６層分の記録再生層群の位置情報が含まれる場合を示したが、本発明はこれに限定されず、例えば、光入射面から最も遠い第６記録再生層の位置情報と、既に述べた第１距離（１２μｍ）、第１距離よりも厚い第２距離（１６μｍ）に関する情報を含めるようにしても良い。なお、既に述べたように、この光記録媒体は、第２距離（１６μｍ）となる中間層と、第１距離（１２μｍ）の中間層が、光入射面１０Ａの近い側又は遠い側から交互に積層される仕様となっている。従って、このルールに基づいて、例えば、第１記録再生層１４Ａの位置を基準にして、第２〜第６記録再生層１４Ｂ〜１４Ｆの位置をプログラムによって推測することができる。この推測計算に基づいて、第１光学系１００のビーム１７０を、第２〜第６記録再生層１４Ｂ〜１４Ｆに直接フォーカスさせて情報を記録することができる。勿論、第６記録再生層１４Ｆの位置を基準にして推測しても良く、他の記録再生層を基準にしても良い。
【００６０】
次に、この光記録媒体１０における記録再生層群１４の層間距離、反射率、屈折率の関係と、クロストークについて詳細に説明する。
【００６１】
＜クロストークが生じる原理の説明＞
【００６２】
まず、記録再生層群１４において、隣接する記録再生層の映り込みによる層間クロストークについて説明する。記録再生層間の層間距離が小さすぎると、隣接する記録再生層から層間クロストークの影響を受ける。従って、所定値以上の層間距離が必要となる。未公知の実験によって、層間厚みとクロストークの影響を研究した結果を図３に示す。なお、ここでは各記録再生層の反射率がほぼ等しい光記録媒体において、層間厚みとジッタとの関係を示している。図３の横軸は層間厚み、縦軸はジッタ値を示している。層間厚みが薄くなるとジッタは劣化し、変曲点は約８μｍとなり、それ以下の層間厚みでは急激なジッタの劣化が起こることを明らかにしている。
【００６３】
なお、一般的に光記録媒体の設計や製造上、各記録再生層の反射率は、１．５倍程度の差が生じ得る。例えば、記録再生対象となる記録再生層の反射率に対して、隣接する他の記録再生層の反射率が１．５倍となる場合、干渉の影響は、光の振幅比で√１．５倍となる。この反射率変動の影響を含めた層間厚みに対するジッタは、図３の破線で示されているようになる。従って、実際の設計上では、層間厚みの最小値は、８μｍから２μｍ増やして１０μｍ以上に設定することが好ましい。このようにすると、他の記録再生層の迷光が光検出器で検出される際の光量密度は、反射率１．５×（８／１０）２＝０．９６となり、他の記録再生層の反射効率の増加分を、層間厚みの増加で相殺することができる。結論として、層間厚みの最小値は１０μｍが最適となる。一方で中間層を成膜する際にも膜厚に誤差が生じる。この膜厚の公差として前後２．０μｍを見込んでおくとすれば、中間層群１６の各膜厚が１０μｍ未満にならないための設計基準の最小値としては１２μｍが好ましいことになる。
【００６４】
次に、図４を参照して、この光記録媒体１０に共焦点クロストークが生じる原理について説明する。なお、説明の便宜上、カバー層１１の膜厚をＴｃ、上記中間層群における第１距離をＴ１、第２距離をＴ２として説明する。また、ｎを自然数とし、光入射面１０Ａ側から順番に、第ｎ番目の記録再生層を第ｎ記録再生層と定義する。また、第ｎ記録再生層の単層反射率をｒｎ、単層透過率をｔｎとする。なお、多層の光記録媒体１０では、これらの単層反射率をｒｎ、単層透過率をｔｎの実測は困難である。そこで本実施形態では、第ｎ記録再生層にビームを照射する際に、光入射面１０Ａにおける入射光と出射光の比率となる総合反射率をＲｎ（即ち、多層状態での反射率）を利用して、単層反射率ｒｎと単層透過率ｔｎを仮想的に類推する手法をとる。従って、この総合反射率Ｒｎは、他の第ｎ記録再生層以外で反射した迷光成分も含んだ実測値となる。
【００６５】
図４（Ａ）のように、再生または記録のために第６記録再生層１４Ｆに集光されたビーム１７０は、記録再生層の半透過性により複数の光ビームに分岐してしまう。例えば、Ｌ６記録再生層１４Ｆへの記録再生目的のビーム１７０の一部は、第４記録再生層１４Ｄで反射して分岐ビーム１７１となって第２記録再生層１４Ｂで焦点を結び、この反射光が再び第４記録再生層１４Ｄで反射してビーム１７０に合流し、一緒に検出される。この現象を、記録再生層の裏焦点光と呼ぶ。ビーム１７０の光路長と分岐ビーム１７１の光路長が、共にＴｃ×２＋Ｔ１×４＋Ｔ２×６となるのでクロストークが生じやすい。
【００６６】
図４（Ｂ）のように、第６記録再生層１４Ｆの記録再生目的のビーム１７０は、例えば第５記録再生層１４Ｅで分岐して分岐ビーム１７３となり、この分岐ビーム１７３は他の記録再生層で焦点を結ばないが、更に第１記録再生層１４Ａ、第２記録再生層１４Ｂの順で反射して検出される。ビーム１７０の光路長と分岐ビーム１７３の光路長が、共にＴｃ×２＋Ｔ１×４＋Ｔ２×６となるのでクロストークが生じやすい。
【００６７】
これらの図４（Ａ）（Ｂ）で示す現象において、仮にＴ１＝Ｔ２に設定すると、ここで例示した以外の多様なバリエーションの分岐ビームの光路長が一致することが容易に推察できる。換言すると、本光記録媒体１０では、第１距離Ｔ１と第２距離Ｔ２に３μｍ以上の差、具体的には４μｍの差を設けておくことで、分岐ビームの光路長が一致する確率を大幅に減少させている。なお、ここで３μｍ以上の差を設ける理由としては、中間層群１６を成膜する際、トラック一周当たりの公差として１．５μｍを見込んでおく必要があるからである。即ち、例えば第１中間層１６Ａの成膜時に−１．５μｍの誤差が生じると第１中間層１６Ａの膜厚は１４．５μｍとなる。また、第２中間層１６Ｂの成膜時に＋１．５μｍの誤差が生じると、第２中間層１６Ｂの膜厚は１３．５μｍとなる。即ち、成膜誤差を考慮しても、３μｍ以上の余裕を持たせておけば、隣接する中間層の膜厚が一致することを回避できる。なお、中間層群の成膜する際、面全体の公差としては２．０μｍ程度を見込んでおくことが好ましい事から、第１距離Ｔ１と第２距離Ｔ２に４μｍ以上の差を設けておくことが好ましい。一方で、必要以上に膜厚差を設けると、層間距離が大きくなりすぎるので、第１距離Ｔ１と第２距離Ｔ２の差は５μｍ以下に収めておくようにすることが望ましい。
【００６８】
一方、既に図４（Ａ）（Ｂ）に示しているように、互いに異なる第１距離Ｔ１と第２距離Ｔ２を層間距離として交互に設定しても、多面反射光となる分岐ビーム１７１、１７３の光路長が本来のビーム１７０の光路長と一致することは避けられない。そこで、ビーム１７０と比較して、多面反射光である分岐ビーム１７１、１７３の光量を小さくすることが重要となる。本実施形態の光記録媒体１０では、以下の２種類の条件を満たすようにして各記録再生層群１４の単体の反射率、透過率を設計することで、この分岐ビーム１７１、１７３の光量が、極めて小さくなるようにしている。なお、第１、第２条件の全てを満たすことが好ましいが、これらの条件のいずれか１つを満たしておけば、分岐ビーム１７１、１７３の光量を小さくすることができる。
【００６９】
（第１条件）全ての記録再生層群における総合反射率Ｒが２％以下となるようにする。
【００７０】
（第２条件）（Ｒｎ−１（ｎ−１）／Ｒｎ（ｎー２））で定義される単層反射率ｒｎが、全ての記録再生層において１０％以下となるようにする。
【００７１】
次に上記条件について補足説明する。なお、ここでは便宜上、記録再生層群１４において、単層反射率と単層透過率が互いに等しいことにし、この単層反射率をｒ、単層透過率をｔと定義する。
【００７２】
まず第１条件について説明する。例えば図４（Ａ）の状態において、入射させるビーム１７０のエネルギーを１と定義した場合に、第６記録再生層１４Ｆの本来の記録再生光（ビーム１７０）の出射光のエネルギーＪは、第１〜第５記録再生層を各２回透過すると共に、第６記録再生層１４Ｆで１回反射するので、Ｊ＝１×ｔ１０×ｒで表現できる。一方、分岐ビーム１７１側の出射光のエネルギーＫは、同様に考えるとＫ＝１×ｔ８×ｒ３で表現できる。即ち、本来の記録再生光のエネルギーに対する迷光側のエネルギーの比率（Ｋ／Ｊ）は、（ｒ／ｔ）２になる。なお、これの考え方は、図４（Ｂ）の状態を含めた、全ての記録再生層群１４で同様となる。
【００７３】
従って、迷光成分となる分岐ビームのエネルギー比率を小さくするためには、単層反射率ｒを小さく、単層透過率ｔを大きくすることが好ましいことが分かる。本発明者らは、この単層反射率ｒの判断をしなくても、第１条件として、全ての記録再生層群１４における総合反射率Ｒが２％以下となるようにしておけば、結果として各記録再生層群の単層反射率も２％〜２０％程度の範囲内に収められることから、クロストークが生じないレベルまで、分岐ビーム側のエネルギー比率を低減させることができることを実験的に明らかにしている。
【００７４】
次に第２条件について説明する。既に図４（Ａ）、（Ｂ）で示したように、第６記録再生層１４Ｆにおける本来の記録再生光のエネルギーＪはＪ＝１×ｔ１０×ｒで表現できる。このエネルギーＪは、総合反射率Ｒ６と殆ど同一視できるので、Ｒ６＝ｔ１０×ｒとなる。同様に、第５記録再生層１４Ｅにおける総合反射率Ｒ５はＲ５＝ｔ８×ｒ、第４記録再生層１４Ｄにおける総合反射率Ｒ４はＲ４＝ｔ６×ｒ、第３記録再生層１４Ｅにおける総合反射率Ｒ３はＲ３＝ｔ４×ｒと表現できる。ここで例えば、第５記録再生層１４Ｅと第４記録再生層１４Ｄの総合反射率Ｒ５、Ｒ４の比（Ｒ５／Ｒ４）をとると、（Ｒ５／Ｒ４）＝ｔ２になることが分かる。即ち、隣接する記録再生層の総合反射率の比は常に（Ｒｎ／Ｒｎー１）＝ｔ２になる。また、第５記録再生層１４Ｅの総合反射率はＲ５＝ｔ８×ｒとなるので、単層反射率ｒ＝Ｒ５×（１／ｔ８）となる。これに上記（Ｒ５／Ｒ４）＝ｔ２を導入すると、ｒ＝Ｒ４４／Ｒ５３となる。第４記録再生層１４Ｄと第３記録再生層１４Ｃとの関係を同様に考えるとｒ＝Ｒ３３／Ｒ４２となり、第６記録再生層１４Ｆと第５記録再生層１４Ｅとの関係を同様に考えると、ｒ＝Ｒ５５／Ｒ６４となる。即ち、これを一般化すれば、仮想的な単層反射率ｒｎはｒｎ＝（Ｒｎ−１（ｎ−１）／Ｒｎ（ｎー２））と定義することが出来る。この単層反射率ｒｎを１０％以下に設定しておけば、３回以上の反射を伴う分岐ビームの光量が小さくなるので、クロストークを低減させることが可能となる。
【００７５】
以上、本実施形態の光記録媒体１０によれば、記録再生層群１４の層間距離として、第１距離と、第１距離よりも３μｍ以上大きい第２距離を交互に設定している。この結果、中間層群１６の成膜時の仮に１．５μｍ未満の膜厚誤差が発生したとしても、第１距離と第２距離が一致してしまうことを回避できる。この結果、共焦点クロストークの増大を防止できる。また、この第１距離が１０μｍ以上、実際には１２μｍに設定しているので、隣接する記録再生層が接近することによる層間クロストークも低減することが可能となっている。
【００７６】
特に、本光記録媒体１０では、第１距離が１０μｍ〜１４μｍの範囲内となる１２μｍ、第２距離が１４μｍ〜１８μｍの範囲内の１６μｍに最適設定されていることから、クロストークの発生を抑制しながらも、層間距離を小さくすることが可能となり、記録再生層を増やすことが出来る。例えば、ＢＤの場合、光入射面から最も遠い記録再生層を光入射面から１１０μｍの範囲内にすることが好ましいが、本実施形態で示したように、記録再生層群１４を６層にしてもこの範囲内に収めることが出来る。
【００７７】
更に本光記録媒体では、記録再生層群１４の総合反射率Ｒが２％以下に設定されるので、層間距離を２種類に限定することによって生じ得る共焦点クロストークの影響を低減させることができる。即ち、中間層群１６の膜厚を２種類に限定することと、総合反射率Ｒが２％以下にすることによって、層間距離を最小化と共焦点クロストークの抑制という相矛盾する問題を合理的に解決できる。
【００７８】
また本実施形態では、（Ｒｎ−１（ｎ−１）／Ｒｎ（ｎー２））で定義される単層反射率ｒｎを、記録再生層群１４の全てにおいて１０％以下に設定しているので、３回以上の反射を繰り返す迷光成分を小さくすることができ、共焦点クロストークを抑制できる。
【００７９】
更に、本光記録媒体１０の記録再生層群１４は、トラッキング制御用の凹凸を有しない平面構造となっており、サーボ層１８において、ランドとグルーブの双方を利用したトラッキングによって、これらの記録再生層群１４に情報を記録するようになっている。従って、中間層群１６の成膜作業においてスタンパが不要になり、上述の様に層間距離を１２μｍ、１６μｍで最小化しても、中間層群１６の膜厚を所望の公差内に収めることが可能となる。
【００８０】
更に、サーボ層１８のトラッキング用の凹凸のトラックピッチが、記録再生層群１４に記録予定となるトラックピッチの２倍に設定されている。このようにするとで、サーボ層では、安価となる波長の長い赤色のビーム２７０を採用することによって、ランド及びグルーブの双方を用いたトラッキングを行うようにすれば、記録再生層群１４側では、結果として２倍のトラックピッチによる記録が可能となる。そこで、サーボ層１８側のトラックピッチを０．６４μｍに設定することで、第２光学系２００はＤＶＤ規格の既存製品をほとんどそのまま用いることが出来る。一方、記録再生層群１４は０．３２μｍのトラックピッチとなるので、第１光学系１００は、ＢＤ規格の既存製品をほとんどそのまま用いることが出来る。即ち、光ピックアップ９０側は新たな開発負担が無く、既存の部品を有効活用しながら、本記録媒体１０に適合させることが可能となる。
【００８１】
また、記録再生層群１４の層間距離として、第１距離と第２距離が交互に設定されるので、光ピックアップ９０が記録再生層群１４の位置を計算によって推測することができ、記録再生速度を高めることが出来る。
【００８２】
次に、図５を参照して、本発明の第２実施形態として、第１実施形態の光記録媒体１０を第１光記録媒体とし、これに加えて、第２光記録媒体２０、第３光記録媒体３０を備えた光記録媒体シリーズについて説明する。なお、第１光記録媒体１０の構造については説明を省略し、第２、第３光記録媒体２０、３０は第１光記録媒体１０と異なる点を重点的に説明する。なお、第１〜第３光記録媒体１０、２０、３０の間で相関する部材については符号の下一桁を共通させている
【００８３】
第２光記録媒体２０は、記録再生層群２４が４層構造（第１〜第４記録再生層２４Ａ〜２４Ｄ）になる点と、その間に挿入される再生層群２６が３層構造（第１〜第３中間層２６Ａ〜２６Ｃ）になる点と、カバー層２１の膜厚が異なる点を除いては、第１光記録媒体１０と同じ構造となっている。具体的に、第１〜第３中間層２６Ａ〜２６Ｃの膜厚は、第１光記録媒体１０と同様に、第１中間層２６Ａが１６μｍ、第２中間層２６Ｂが１２μｍ、第３中間層２６Ｃが１６μｍとなる。この結果、第１〜第３記録再生層２４Ａ〜２４Ｄの層間距離は、第１光記録媒体１０と同様に、光入射面側から順番に第１距離（１６μｍ）と、この第１距離と異なる第２距離（１２μｍ）が交互に設定されることになる。また、第１距離と第２距離の差は４μｍに設定される。
【００８４】
従って、サーボ層２８は、光入射面２０Ａから０．２ｍｍの距離に位置しており、また、記録再生層群２４の中で光入射面２０Ａから最も遠い第４記録再生層２４Ｄは、光入射面２０Ａから０．１１ｍｍ（１１０μｍ）の距離に位置しており、第３記録再生層２４Ｃは光入射面２０Ａから９４μｍ、第２記録再生層２４Ｂは光入射面２０Ａから８２μｍ、そして、光入射面２０Ａに最も近い第１記録再生層２４Ａは、光入射面２０Ａから６６μｍの距離に位置することになる。また、記録再生層群２４の全体的な厚み（第１記録再生層２４Ａ〜第４記録再生層２４Ｄ間の距離）は４４μｍとなる。
【００８５】
次に第３光記録媒体３０について説明する。この第３光記録媒体３０は、記録再生層群２４が５層構造（第１〜第５記録再生層３４Ａ〜３４Ｅ）になる点と、その間に挿入される再生層群３６が４層構造（第１〜第４中間層３６Ａ〜３６Ｄ）になる点と、カバー層３１の膜厚が異なる点を除いては、第１光記録媒体１０と同じ構造となっている。具体的に第１〜第４中間層３６Ａ〜３６Ｄの膜厚は、第１光記録媒体１０と同様に、第１中間層３６Ａが１２μｍ、第２中間層３６Ｂが１６μｍ、第３中間層３６Ｃが１２μｍ、第４中間層３６Ｄが１６μｍとなる。この結果、第１〜第５記録再生層３４Ａ〜３４Ｅの層間距離として、光入射面側から順番に第１距離（１２μｍ）と、この第１距離と異なる第２距離（１６μｍ）が交互に設定されることになる。また、第１距離と第２距離の差は４μｍに設定される。
【００８６】
従って、サーボ層３７は、光入射面３０Ａから０．２ｍｍの距離に位置しており、また、記録再生層群３４の中で光入射面３０Ａから最も遠い第５記録再生層３４Ｅは、光入射面３０Ａから０．１１ｍｍ（１１０μｍ）の距離に位置しており、第４記録再生層３４Ｄは光入射面３０Ａから９４μｍ、第３記録再生層３４Ｃは光入射面３０Ａから８２μｍ、第２記録再生層３４Ｂは光入射面３０Ａから６６μｍ、そして、光入射面３０Ａに最も近い第１記録再生層３４Ａは、光入射面３０Ａから５４μｍの距離に位置することになる。また、記録再生層群３４の全体的な厚み（第１記録再生層３４Ａ〜第５記録再生層３４Ｅ間の距離）は５６μｍとなる。
【００８７】
次に、第２実施形態における光記録媒体シリーズにおける記録再生層群の層間距離の関係について図６を参照して説明する。
【００８８】
これらの第１〜第３光記録媒体１０、２０、３０の間では、全部の記録再生層の積層数が複数となっており、且つこの積層数が光記録媒体間で互いに異なっていながらも、サーボ層１８、２８、３８の光入射面からの位置が互いに一致される。更に、これらの第１〜第３光記録媒体１０、２０、３０の間では、少なくとも３層の記録再生層の光入射面からの位置が互いに等しく設定されている。
【００８９】
従って、この光記録媒体シリーズに属している光記録媒体であれば、第１実施形態で示した利点に加えて、シリーズ間においてサーボ層の位置が統一されているので、光ピックアップ９０における第２光学系２００は、サーボ層の位置を容易に探すことが可能となり、素早くトラッキング制御を実行できるようになる。更に、少なくとも３層の記録再生層の位置が統一されているので、光ピックアップ９０における第１光学系１００は、この記録再生層の位置を容易に探すことが可能となり、素早く記録再生準備を実行できるようになる。このように、サーボ層と少なくとも１層の記録再生層の位置が統一されていれば、その組合せにおいて記録再生の初期動作を極めて素早く行える。即ち、記録再生層の層間距離となる第１距離、第２距離を、複数の光記録媒体の間で統一しておくことで、光学的な利点に加えて、シリーズ化することも容易になる。
【００９０】
また、このように３層の記録再生層の位置が一致していると、光ピックアップ９０側において、３層の記録再生層の選択が容易となる、例えば、３層中のいずれかの記録再生層が記録済み状態の場合、残りの記録再生層を選択して情報の記録を開始することもできる。更に、３層の記録再生層の位置が一致していることにより、光ピックアップ９０側では、この３層の記録再生層の層間距離（第１距離と第２距離）を参考にして他の記録再生層の層間距離を予め把握したり、予測したりすることが可能となる。
【００９１】
更に、これらの第１〜第３光記録媒体１０、２０、３０の間では、光入射面から最も遠い記録再生層の光入射面からの位置が互いに等しく設定されている。この結果、この光記録媒体シリーズに属している光記録媒体であれば、光ピックアップ９０側では、この記録再生層よりも光入射面側に他の記録再生層が積層されていることを予め認識できる。従って、他の記録再生層を探すための動作時間を低減できる。
【００９２】
また更に、これらの第１〜第３光記録媒体１０、２０、３０の間では、中間層の膜厚が、第１距離、第２距離で統一されているので、本シリーズに属する光記録媒体であれば、第１距離又は第２距離の途中に更に記録再生層が介在することはないことを規格で保証できる。このようにすることで、光ピックアップ９０側でも、記録再生中の記録再生層に対して、予測不能な記録再生層が接近して配置されることによる記録再生エラーを回避することができる。
【００９３】
また、これらの第１〜第３光記録媒体１０、２０、３０から任意に選択された２つの光記録媒体に関して、記録再生層の数が少ない側の全ての記録再生層の光入射面からの位置は、記録再生層の数が多い光記録媒体の記録再生層の位置と等しくなっている。例えば、第１、第２光記録媒体１０、２０を選択した場合、記録再生層の数が少ない第２光記録媒体２０の第１〜第４記録再生層２４Ａ〜２４Ｄの全ては、第１光記録媒体１０の第３〜第６記録再生層１４Ｃ〜１４Ｆと位置が一致している。第１、第３光記録媒体１０、３０を選択した場合、記録再生層の数が少ない第３光記録媒体３０の第１〜第５記録再生層３４Ａ〜３４Ｅの全ては、第１光記録媒体１０の第２〜第６記録再生層１４Ｂ〜１４Ｆと位置が一致している。第２、第３光記録媒体２０、３０を選択した場合、記録再生層の数が少ない第２光記録媒体２０の第１〜第４記録再生層２４Ａ〜２４Ｄの全ては、第３光記録媒体３０の第２〜第５記録再生層３４Ｂ〜３４Ｅと位置が一致している。即ち、この光記録媒体シリーズでは、記録再生層の積層数の少ない光記録媒体におけるサーボ層と全ての記録再生層群の光入射面からの距離が、これよりも積層数の多い光記録媒体と一致する。このようにすることで、光記録媒体シリーズに属する光記録媒体の全ての記録再生層群の位置を効率的に統一できる。結果、これらの第１〜第３光記録媒体１０、２０、３０のサーボ層やＢＣＡ等に対して、記録再生層群１４、２４、３４の位置情報を記録しておいたり、光ピックアップ９０側に保存しておいたりする場合に、その情報量を少なくすることが可能となる。
【００９４】
なお、この第２実施形態の光記録媒体シリーズによれば、第１〜第３光記録媒体１０、２０、３０におけるサーボ層が、記録再生層群１４、２４、３４と比較して光入射面から遠い位置に配置されている。このようにすると、トラッキング制御用の凹凸が、記録再生層群に照射される記録再生用のビーム１７０に悪影響を与えることを低減するできる。しかし本発明はこれに限定されず、記録再生層群と比較して光入射面側に配置することも可能である。
【００９５】
以上、本実施形態の光記録媒体では、記録再生層群において、１６μｍ、１２μｍの層間距離を交互に設定する場合を示したが、本発明はこれに限定されず、他の距離を採用することもできる。
【００９６】
また、本実施形態の光記録媒体では、トラッキング専用のサーボ層を備える場合を示したが、本発明はこれに限定されず、記録再生層にランド／グルーブ等の凹凸が形成されるようにしても良い。
【００９７】
また、本実施形態では、記録再生層群と比較して、サーボ層が光入射面から遠い位置に配置される場合を示したが、本発明はこれに限定されず、サーボ層を記録再生層群よりも光入射面側に配置することも可能である。
【００９８】
なお、本実施形態の光記録媒体シリーズでは、記録再生層群の積層数の異なる３種類の光記録媒体を有する場合に限って示したが、本発明はこれに限定されず、２種類であってもよく、４種類以上の光記録媒体を有するようにしても良い。また、記録再生層群の積層数についても、ここでは４〜６層に限って示したが、本発明はこれに限定されない。
【産業上の利用可能性】
【００９９】
本発明の光記録媒体及び光記録媒体シリーズは、記録再生層を複数備え、ビームによって記録再生を行う各種光記録媒体に適用することができる。
【符号の説明】
【０１００】
１０              光記録媒体
１１、２１、３１  カバー層
１２、２２、３２  支持基板
１４、２４、３４  記録再生層群
１６、２６、３６  中間層群
１７、２７、３７  スペーサ層
１８、２８、３８  サーボ層
２０              第２記録媒体
３０              第３記録媒体
９０              光ピックアップ
【図１】
2011170937.tif 000003
【図２】
2011170937.tif 000004
【図３】
2011170937.tif 000005
【図４】
2011170937.tif 000006
【図５】
2011170937.tif 000007
【図６】
2011170937.tif 000008